(57)【要約】      （修正有）【課題】コンベアにフェンスを容易に取り付けることを可能とするコンベア用フェンス取付具を提供する。【解決手段】コンベア用フェンス取付具１３０を、コンベアフレーム１１１に対して固定される挟持部と、フェンス１２０を支持するためのフェンス支持部とを備えたものとした。挟持部は、コンベアフレーム１１１の内方から宛がわれる内側挟持部と、コンベアフレーム１１１の外方から宛がわれる外側挟持部と、内側挟持部及び外側挟持部をコンベアフレーム１１１の幅方向に亘って連結する連結部とを備えており、内側挟持部は、連結部の内縁部に設けられた楔孔に対して挿嵌される楔体とした。該楔体を楔孔に打ち込むことにより、内側挟持部及び外側挟持部でコンベアフレーム１１１をその幅方向に挟持することができる。【選択図】図１
2011016627.tif 000002
【特許請求の範囲】
【請求項１】
コンベアの側部にフェンスを取り付ける際に使用されるコンベア用フェンス取付具であって、
コンベアの側部に沿って設けられたコンベアフレームをその幅方向に挟持することによりコンベアフレームに対して固定される挟持部と、前記フェンスを支持するためのフェンス支持部とを備え、
前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、
内側挟持部が、前記連結部の内縁部に設けられた楔孔に対して挿嵌される楔体とされ、
該楔体を楔孔に打ち込むことにより、内側挟持部及び外側挟持部でコンベアフレームをその幅方向に挟持できるようにしたことを特徴とするコンベア用フェンス取付具。
【請求項２】
前記連結部が１枚の金属板からなり、
前記連結部の内縁部が、コンベアフレームが配される側に折り曲がって形成され、
楔孔に打ち込まれた内側挟持部をコンベアフレームの側へ押し付けることができるようにした請求項１記載のコンベア用フェンス取付具。
【請求項３】
前記連結部が１枚の金属板からなり、
外側挟持部が、前記金属板の外縁部を断面コの字状に折り返すことによって形成され、
外側挟持部でコンベアフレームを上下方向に挟持できるようにした請求項１又は２記載のコンベア用フェンス取付具。
【請求項４】
外側挟持部が、前記断面コの字状に折り返された部分に設けられた螺子孔に螺合するための螺合体を有し、
該螺合体を螺子孔に螺合して進入させてその先端部をコンベアフレームの下面又は上面に突き当てることにより、外側挟持部でコンベアフレームを上下方向に挟持できるようにした請求項３記載のコンベア用フェンス取付具。
【請求項５】
コンベアの側部にフェンスを取り付ける際に使用されるコンベア用フェンス取付具であって、
コンベアの側部に沿って設けられたコンベアフレームをその幅方向に挟持することによりコンベアフレームに対して固定される挟持部と、前記フェンスを支持するためのフェンス支持部とを備え、
前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、
外側挟持部が、前記連結部の外縁部に設けられた楔孔に対して挿嵌される楔体とされ、
該楔体を楔孔に打ち込むことにより、内側挟持部及び外側挟持部でコンベアフレームをその幅方向に挟持できるようにしたことを特徴とするコンベア用フェンス取付具。
【請求項６】
物品を移送するためのコンベアと、該コンベアの側部に沿って配されたフェンスと、フェンスをコンベアの側部に沿って取り付けるためのコンベア用フェンス取付具とを備えたフェンス付きコンベアであって、
コンベアが、その側部に沿った部分にコンベアフレームを有し、
コンベア用フェンス取付具が、コンベアフレームをその幅方向に挟持することによりコンベアフレームに対して固定される挟持部と、前記フェンスを支持するためのフェンス支持部とを備え、
前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、
内側挟持部が、前記連結部の内縁部に設けられた楔孔に対して挿嵌される楔体とされ、
該楔体を楔孔に打ち込むことにより、内側挟持部及び外側挟持部でコンベアフレームがその幅方向に挟持されたことを特徴とするフェンス付コンベア。
【請求項７】
物品を移送するためのコンベアと、該コンベアの側部に沿って配されたフェンスと、フェンスをコンベアの側部に沿って取り付けるためのコンベア用フェンス取付具とを備えたフェンス付きコンベアであって、
コンベアが、その側部に沿った部分にコンベアフレームを有し、
コンベア用フェンス取付具が、コンベアフレームをその幅方向に挟持することによりコンベアフレームに対して固定される挟持部と、前記フェンスを支持するためのフェンス支持部とを備え、
前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、
外側挟持部が、前記連結部の外縁部に設けられた楔孔に対して挿嵌される楔体とされ、
該楔体を楔孔に打ち込むことにより、内側挟持部及び外側挟持部でコンベアフレームがその幅方向に挟持されたことを特徴とするフェンス付コンベア。
【発明の詳細な説明】
【技術分野】
【０００１】
本発明は、コンベアにフェンスを取り付けるためのコンベア用フェンス取付具と、該コンベア用フェンス取付具を用いてフェンスを取り付けたフェンス付コンベアに関する。
【背景技術】
【０００２】
コンベアは、生産工場で製品やその原料を移送する際や、建設現場で資材や廃材を移送する際や、天然資源の採取現場で金属や石などの採取物を移送する際など、幅広い場面で利用されている。コンベアとしては、無端環状の幅広の搬送ベルトを回転させることにより、運搬物を移送するベルト式コンベアと、無端環状の搬送チェーンを回転させることにより、運搬物を移送するチェーン式コンベアと、平行に配した複数本の搬送ローラを回転させることにより、運搬物を移送するローラ式コンベアなどが知られている。コンベアの種類は、運搬物の種類などに応じて適宜決定される。
【０００３】
これらのコンベアは、搬送ベルトや搬送チェーンや搬送ローラなど、可動部を備えるものであったため、これらの可動部に周囲の作業者が巻き込まれないように、その安全性に配慮しておくことが要求される。コンベアの安全性を確保するために従来から行われている対策としては、コンベアの両側にフェンスを取り付けたり（例えば、特許文献１を参照。）、コンベアをシートで覆ったり（例えば、特許文献２を参照。）することなどが挙げられる。
【０００４】
しかし、コンベアにフェンスやシートを取り付けると、コンベアのメンテナンスを行う際などに、それらをその都度取り外さなければならず、非常に煩わしい。特に、コンベアが長距離に亘って設けられているような場合には、それに要する労力は多大なものとなる。したがって、コンベアにフェンスやシートを取り付ける場合には、コンベアに対してフェンスなどがしっかりと固定されるということだけでなく、いざ取り外そうとした際にはフェンスなどを簡単に取り外すことができるようにするということも考慮しておかなければならない。
【０００５】
この点、特許文献１のコンベアにおいては、基台（キャリアスタンド）に立設された支柱（外支柱）の先端に設けられたフックにフェンスが吊り下げられるようになっており、フェンスは、フックに掛けられた部分を外すだけで、コンベア本体から容易に取り外すことができるようになっている。しかし、フェンスを吊り下げる外支柱は、両脇のローラ（搬送ベルトを支持するためのローラ）を軸支するためのものとなっており、その場所は予め定まっている。このため、特許文献１のコンベアでは、フェンスを支持する間隔を変更できず、それに取り付けることのできるフェンスの配置や寸法が制限されるという欠点がある。
【０００６】
また、特許文献２のコンベアにおけるシートは、逆Ｕ字状の複数の支柱からシートを取り外さなければならず、必ずしも容易に取り外すことができるものとはなっていない。加えて、特許文献２には、シートを取り付ける支柱の下端に車輪を設けて、シートを支柱ごとスライドできるようにする構成も記載されているが、この場合には、シートのスライドしろを確保する関係上、コンベアの全長に亘ってシートで覆うことができなくなり、コンベアの安全性を確保できなくなる。
【先行技術文献】
【特許文献】
【０００７】
【特許文献１】特開２００８−１５６０６９号公報
【特許文献２】実登第３０２８２０６号公報
【発明の概要】
【発明が解決しようとする課題】
【０００８】
本発明は、上記課題を解決するためになされたものであり、コンベアにフェンスを容易に取り付けることを可能とし、作業者がコンベアに巻き込まれないようにしてコンベアの安全性を確保するだけでなく、コンベアからフェンスを容易に外すことができ、コンベアのメンテナンスを容易に行うことも可能とするコンベア用フェンス取付具を提供するものである。また、フェンスを取り付ける箇所を任意に変更でき、フェンスの配置や寸法の自由度を高めることが可能であり、かつコンベアの全長に亘ってフェンスを取り付けることも可能なコンベア用フェンス取付具を提供することも本発明の目的である。さらに、このコンベア用フェンス取付具を用いてフェンスを取り付けたフェンス付コンベアを提供することも本発明の目的である。
【課題を解決するための手段】
【０００９】
上記課題は、コンベアの側部にフェンスを取り付ける際に使用されるコンベア用フェンス取付具であって、コンベアの側部に沿って設けられたコンベアフレームをその幅方向に挟持することによりコンベアフレームに対して固定される挟持部と、前記フェンスを支持するためのフェンス支持部とを備え、前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、内側挟持部が、前記連結部の内縁部に設けられた楔孔に対して挿嵌される楔体とされ、該楔体を楔孔に打ち込むことにより、内側挟持部及び外側挟持部でコンベアフレームをその幅方向に挟持できるようにしたことを特徴とするコンベア用フェンス取付具を提供することによって解決される。以下においては、このコンベア用フェンス取付具を「第一実施態様のコンベア用フェンス取付具」と呼ぶことがある。
【００１０】
これにより、コンベア用フェンス取付具におけるフェンス支持部にフェンスを支持させるという簡単な作業だけで、コンベアにフェンスを取り付けることが可能になる。また、フェンスの取り外しも容易である。さらに、このコンベア用フェンス取付具は、コンベアフレームの全長における任意の箇所に取り付けることができるので、フェンスの配置や寸法の自由度も非常に高い。さらにまた、このコンベア用フェンス取付具は、側部にコンベアフレームを有する全てのコンベアに使用することができるので、その汎用性も非常に高いものとなっている。
【００１１】
第一実施態様のコンベア用フェンス取付具において、挟持部の形態は、内側挟持部と外側挟持部を所定間隔を隔てて連結するものであれば特に限定されない。しかし、挟持部における連結部を１枚の金属板によって形成し、前記連結部における楔孔が設けられた内縁部をコンベアフレームが配される側に折り曲げて形成すると好ましい。これにより、楔孔に打ち込まれた内側挟持部をコンベアフレームの側へ押し付けることができるようになり、コンベアフレームに対して挟持部をしっかりと固定することが可能になる。
【００１２】
また、第一実施態様のコンベア用フェンス取付具においては、前記連結部を１枚の金属板によって形成し、外側挟持部が、前記金属板の外縁部を断面コの字状に折り返すことによって形成することも好ましい。これにより、外側挟持部でコンベアフレームを上下方向にも挟持することが可能となり、コンベアフレームに対して挟持部をよりしっかりと固定することが可能になる。
【００１３】
このとき、外側挟持部が、前記断面コの字状に折り返された部分に設けられた螺子孔に螺合するための螺合体を有し、該螺合体を螺子孔に螺合して進入させてその先端部をコンベアフレームの下面又は上面に突き当てることにより、外側挟持部でコンベアフレームを上下方向に挟持できるようにすることも好ましい。これにより、外側挟持部でコンベアフレームを上下方向により確実に挟持することが可能となり、コンベアフレームに対して挟持部をさらにしっかりと固定することが可能になる。
【００１４】
ところで、上記課題は、コンベアの側部にフェンスを取り付ける際に使用されるコンベア用フェンス取付具であって、コンベアの側部に沿って設けられたコンベアフレームをその幅方向に挟持することによりコンベアフレームに対して固定される挟持部と、前記フェンスを支持するためのフェンス支持部とを備え、前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、外側挟持部が、前記連結部の外縁部に設けられた楔孔に対して挿嵌される楔体とされ、該楔体を楔孔に打ち込むことにより、内側挟持部及び外側挟持部でコンベアフレームをその幅方向に挟持できるようにしたことを特徴とするコンベア用フェンス取付具を提供することによっても解決される。以下においては、このコンベア用フェンス取付具を「第二実施態様のコンベア用フェンス取付具」と呼ぶことがある。
【００１５】
第二実施態様のコンベア用フェンス取付具は、第一実施態様のコンベア用フェンス取付具における内側挟持部と外側挟持部とを入れ替えた構成となっている。第二実施態様のコンベア用フェンス取付具においても、第一実施態様のコンベア用フェンス取付具と同様の作用効果を奏させることが可能である。本明細書に記載した第一実施態様のコンベア用フェンス取付具に係る構成は、内側挟持部と外側挟持部とを入れ替えることにより、第二実施態様のコンベア用フェンス取付具においても採用することができる。
【００１６】
また、上記課題は、物品を移送するためのコンベアと、該コンベアの側部に沿って配されたフェンスと、フェンスをコンベアの側部に沿って取り付けるためのコンベア用フェンス取付具とを備えたフェンス付きコンベアであって、コンベアが、その側部に沿った部分にコンベアフレームを有し、コンベア用フェンス取付具が、コンベアフレームをその幅方向に挟持することによりコンベアフレームに対して固定される挟持部と、前記フェンスを支持するためのフェンス支持部とを備え、前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、内側挟持部が、前記連結部の内縁部に設けられた楔孔に対して挿嵌される楔体とされ、該楔体を楔孔に打ち込むことにより、内側挟持部及び外側挟持部でコンベアフレームがその幅方向に挟持されたことを特徴とするフェンス付コンベアを提供することによっても解決される。以下においては、このフェンス付コンベアを「第一実施態様のフェンス付コンベア」と呼ぶことがある。第一実施態様のフェンス付コンベアは、上述した第一実施態様のコンベア用フェンス取付具を用いるものとなっている。
【００１７】
さらに、上記課題は、物品を移送するためのコンベアと、該コンベアの側部に沿って配されたフェンスと、フェンスをコンベアの側部に沿って取り付けるためのコンベア用フェンス取付具とを備えたフェンス付きコンベアであって、コンベアが、その側部に沿った部分にコンベアフレームを有し、コンベア用フェンス取付具が、コンベアフレームをその幅方向に挟持することによりコンベアフレームに対して固定される挟持部と、前記フェンスを支持するためのフェンス支持部とを備え、前記挟持部が、コンベアフレームの内方から宛がわれる内側挟持部と、コンベアフレームの外方から宛がわれる外側挟持部と、内側挟持部及び外側挟持部をコンベアフレームの幅方向に亘って連結する連結部とを備え、外側挟持部が、前記連結部の外縁部に設けられた楔孔に対して挿嵌される楔体とされ、該楔体を楔孔に打ち込むことにより、内側挟持部及び外側挟持部でコンベアフレームがその幅方向に挟持されたことを特徴とするフェンス付コンベアを提供することによっても解決される。以下においては、このフェンス付コンベアを「第一実施態様のフェンス付コンベア」と呼ぶことがある。第一実施態様のフェンス付コンベアは、上述した第一実施態様のコンベア用フェンス取付具を用いるものとなっている。
【発明の効果】
【００１８】
以上のように、本発明によって、コンベアにフェンスを容易に取り付けることを可能とし、作業者がコンベアに巻き込まれないようにしてコンベアの安全性を確保するだけでなく、コンベアからフェンスを容易に外すことができ、コンベアのメンテナンスを容易に行うことも可能とするコンベア用フェンス取付具を提供することが可能になる。また、フェンスを取り付ける箇所を任意に変更でき、フェンスの配置や寸法の自由度を高めることが可能であり、かつコンベアの全長に亘ってフェンスを取り付けることも可能なコンベア用フェンス取付具を提供することも可能になる。さらに、このコンベア用フェンス取付具を用いてフェンスを取り付けたフェンス付コンベアを提供することも可能になる。
【図面の簡単な説明】
【００１９】
【図１】第一実施態様のフェンス付コンベアを示した正面図である。
【図２】第一実施態様のコンベア用フェンス取付具をコンベアフレームに取り付けている状態を示した斜視図である。
【図３】第一実施態様のコンベア用フェンス取付具のフェンス支持部における基部にアタッチメント部を取り付けている状態を示した斜視図である。
【図４】第一実施態様のコンベア用フェンス取付具にフェンスを取り付けている状態を示した斜視図である。
【図５】第一実施態様のコンベア用フェンス取付具にフェンスを取り付けた状態を示した斜視図である。
【図６】第一実施態様のコンベア用フェンス取付具にフェンスを取り付けた状態を示した正面図である。
【図７】第一実施態様のコンベア用フェンス取付具における他の例にフェンスを取り付けた状態を示した正面図である。
【図８】第二実施態様のフェンス付コンベアを示した正面図である。
【図９】第二実施態様のコンベア用フェンス取付具にフェンスを取り付けた状態を示した正面図である。
【発明を実施するための形態】
【００２０】
本発明のコンベア用フェンス取付具及び本発明のフェンス付コンベアについて、図面を用いてより具体的に説明する。図１は、第一実施態様のフェンス付コンベア１００を示した正面図である。図２は、第一実施態様のコンベア用フェンス取付具１３０をコンベアフレーム１１１に取り付けている状態を示した斜視図である。図３は、第一実施態様のコンベア用フェンス取付具１００のフェンス支持部１３２における基部１３２Ａにアタッチメント部１３２Ｂを取り付けている状態を示した斜視図である。図４は、第一実施態様のコンベア用フェンス取付具１３０にフェンス１２０を取り付けている状態を示した斜視図である。図５は、第一実施態様のコンベア用フェンス取付具１３０にフェンス１２０を取り付けた状態を示した斜視図である。図６は、第一実施態様のコンベア用フェンス取付具１３０にフェンス１２０を取り付けた状態を示した正面図である。
【００２１】
１．フェンス付コンベアの概要
本発明のフェンス付コンベア１００は、図１に示すように、物品２００を移送するためのコンベア１１０と、コンベア１１０の側部に沿って配されたフェンス１２０と、フェンス１２０をコンベア１１０の側部に沿って取り付けるためのコンベア用フェンス取付具１３０とを備えたものとなっている。フェンス付コンベア１００の用途は、特に限定されない。フェンス付コンベア１００は、生産工場などで製品やその原料などを移送するために使用されるものであっても、建設現場などで資材や廃材などを移送するために使用されるものであっても、天然資源の採取現場などで金属や石などの採取物を移送するために使用されるものなどであってもよい。
【００２２】
フェンス付コンベア１００の規模（全長など）も、特に限定されないが、全長の長いものの方が、フェンス１２０を取り付けやすくしたこと、又は取り外しやすくしたことによる利益が大きくなり、本発明の構成を採用する意義が高まる。このため、フェンス付コンベア１００の全長は、通常、３ｍ以上とされる。フェンス付コンベア１００の全長は、１０ｍ以上であると好ましく、２０ｍ以上であるとより好ましく、３０ｍ以上であるとさらに好ましい。一方、フェンス付コンベア１００の全長の上限は、特に限定されない。生産工場内に設置されるような場合は、通常、１００〜２００ｍ程度までであるが、屋外の施設（上述した天然資源の採取現場など）では、５００ｍや１０００ｍなど、数百ｍ以上に及ぶ場合もある。
【００２３】
２．コンベア
コンベア１１０としては、その設置場所や運搬物の種類などに応じて、各種のものを採用することができる。具体的には、（１）無端環状の幅広の搬送ベルトを回転させることにより運搬物を移送するベルト式コンベア、（２）無端環状の搬送チェーンを回転させることにより運搬物を移送するチェーン式コンベア、（３）平行に配した複数本の搬送ローラを回転させることにより運搬物を移送するローラ式コンベア、などが例示される。第一実施態様のフェンス付コンベア１００においては、コンベア１１０として、搬送ベルト１１２（図１を参照）を備えたベルト式コンベアを採用している。
【００２４】
コンベア１１０は、図１に示すように、コンベアフレーム１１１を備えたものとなっている。このコンベアフレーム１１１は、コンベア１１０の左右の側部に沿った部分に設けられ、コンベア１１０の移送方向と略平行に配されている。このコンベアフレーム１１１には、搬送ベルト１１２を駆動するためのローラ１１３を軸支するための支柱１１４など、コンベア１１０を構成する各種部材が取り付けられる。コンベアフレーム１１１の形態は、コンベア１１０の移送方向に沿うものであれば、その断面形状などは特に限定されない。しかし、後で詳述するコンベア用フェンス取付具１３０の取り付けやすさや、フェンス付コンベア１００の強度維持や軽量化などを考慮すると、コンベアフレーム１１１は、略Ｃ字状、略Ｈ字状、略Ｔ字状、略Ｌ字状など、少ない面積（軽量化が可能であり）ながらも凹凸を有し（コンベア用フェンス取付具１３０を取り付けやすく）、かつ断面係数の大きな（強度に優れた）断面形状のものを使用すると好ましい。第一実施態様のフェンス付コンベア１００においては、コンベアフレーム１１１として、断面略Ｃ字状のＣ型鋼（溝型鋼）を用いている。コンベアフレーム１１１は、その溝が外方へ向く向きで配されている。
【００２５】
３．フェンス
フェンス１２０も、その設置場所や運搬物の種類などに応じて、各種のものを採用することができる。具体的には、（１）異なる方向に向かって延びる複数の線材を組み合わせた網状のもの、（２）異なる方向に向かって延びる複数の棒材を組み合わせた柵状のもの、（３）可撓性を有する連続面材からなるシート状のもの、（４）剛性を有する連続面材からなる板状のもの、などが例示される。第一実施態様のフェンス付コンベアにおいては、図４と図５に示すように、フェンス１２０として、縦方向（鉛直方向）に伸びる縦ワイヤ１２１と横方向（水平方向）に延びる横ワイヤ１２２とを組み合わせた網状のものを使用している。網状のフェンス１２０は、その網目にフックなどを掛けることができ、その任意の箇所にコンベア用フェンス取付具１３０を取り付けることができるので好適である。
【００２６】
４．コンベア用フェンス取付具
コンベア用フェンス取付具１３０は、図２に示すように、コンベアフレーム１１１をその幅方向に挟持することによりコンベアフレーム１１１に対して固定される挟持部１３１と、フェンス１２０を支持するためのフェンス支持部１３２とを備えたものとなっている。挟持部１３１は、コンベアフレーム１１１の内方から宛がわれる内側挟持部１３１Ａと、コンベアフレーム１１１の外方から宛がわれる外側挟持部１３１Ｂと、内側挟持部１３１Ａ及び外側挟持部１３１Ｂをコンベアフレーム１１１の幅方向に亘って連結する連結部１３１Ｃとを備えたものとなっている。
【００２７】
内側挟持部１３１Ａは、連結部１３１Ｃの内縁部に設けられた楔孔１３３に対して挿嵌される楔体とされ、該楔体を楔孔１３３に打ち込むことにより、内側挟持部１３１Ａ及び外側挟持部１３１Ｂでコンベアフレーム１１１がその幅方向に挟持されるものとなっている。
【００２８】
連結部１３１Ｃは、図２に示すように、１枚の金属板によって形成されている。連結部１３１Ｃの内縁部は、コンベアフレーム１１１が配される側（下側）に折り曲がって形成された折り曲げ部となっている。このように、連結部１３１Ｃにおける楔孔１３３が設けられた側の縁部を折り曲げることにより、図６に示すように、楔孔１３３に打ち込まれた内側挟持部１３１Ａをコンベアフレーム１１１の側へ押し付けることができるようになっている。この押し付けは、折り曲げ部のバネ弾性にも起因している。
【００２９】
金属板によって形成された連結部１３１Ｃにおける内縁部の折り曲げ角度θ（図６を参照）は、特に限定されない。しかし、折り曲げ角度θが小さすぎると、楔孔１３３に打ち込まれた内側挟持部１３１Ａがコンベアフレーム１１１へ強く押し当たらないようになるおそれがある。このため、折り曲げ角度θは、通常、１°以上とされる。折り曲げ角度θは、３°以上であると好ましく、５°以上であるとより好ましい。一方、折り曲げ角度θを大きくしすぎると、楔孔１３３に内側挟持部１３１Ａを打ち込みにくくなるおそれがある。このため、折り曲げ角度θは、通常、４５°以下とされる。折り曲げ角度θは、３０°以下であると好ましく、２０°以下であるとより好ましい。第一実施態様のコンベア用フェンス取付具１３０において、折り曲げ角度θは、約１２°としている。
【００３０】
外側挟持部１３１Ｂは、図６に示すように、連結部１３１Ｃを形成する金属板の外縁部が断面コの字状に折り返されて形成されている。連結部１３１Ｃにおける断面コの字状の部分には、その内方からコンベアフレーム１１１における外壁が挿し込まれる。このため、外側挟持部１３１Ｂで、コンベアフレーム１１１の前記外壁を上下方向に挟持することができるようになっている。
【００３１】
また、外側挟持部１３１Ｂには、図２と図６に示すように、前記断面コの字状に折り返された部分に螺子孔１３４が設けられており、螺子孔１３４には、螺合体（ボルトなど）１３５を螺合させることができるようになっている。第一実施態様のコンベア用フェンス取付具１３０においては、螺合体１３５を螺子孔１３４に螺合して進入させてその先端部をコンベアフレームの下面又は上面に突き当てることにより、外側挟持部１３１Ｂでコンベアフレーム１１１を上下方向に挟持するようになっている。このように、螺合体１３５を使用することによって、外壁の厚さの異なるコンベアフレーム１１１に対しても、コンベア用フェンス取付具１３０を取り付けることが可能になり、コンベア用フェンス取付具１３０の汎用性をさらに高めることができる。
【００３２】
コンベア用フェンス取付具１３０において、フェンス支持部１３２は、フェンス１２０を支持できる形態のものであれば特に限定されない。フェンス支持部１３２は、フェンス１２０の形態などに応じて適宜決定される。第一実施態様のコンベア用フェンス取付具１３０において、フェンス支持部１３２は、図３に示すように、挟持部１３１に対して一体的に形成された板状の基部１３２Ａと、基部１３２Ａから分離可能なアタッチメント部１３２Ｂと、アタッチメント部１３２Ｂを基部１３２Ａに固定するための固定手段１３２Ｃとで構成されている。固定手段１３２Ｃとしては、ボルトとナットを使用しており、基部１３２Ａ及びアタッチメント部１３２Ｂに共通して設けられた固定孔にそのボルトを通し、その反対側からナットを締め付けることにより、アタッチメント部１３２Ｂを基部１３２Ａに固定できるようになっている。アタッチメント部１３２Ｂには、前記固定孔が多段に設けられており、基部１３２Ａに対するアタッチメント部１３２Ｂの固定位置を適宜調節することができるようになっている。このように、フェンス支持部１３２を、互いに別体からなる基部１３２Ａとアタッチメント部１３２Ｂとで構成することにより、コンベア１１０に取り付けるフェンス１２０の形態が変わった場合などであっても、アタッチメント部１３２Ａを交換するだけで対応可能となるので、コンベア用フェンス取付具１３０の汎用性をさらに高めることが可能になる。
【００３３】
フェンス支持部１３２におけるアタッチメント部１３２Ｂの形態も、フェンス１２０のフェンス１２０の種類などによって異なり、特に限定されない。第一実施態様のコンベア用フェンス取付具１３０においては、図３に示すように、鉛直方向に配される断面Ｃ字状の溝型鋼における一対の対向壁（外壁）に鉤状の複数の切り込み部を多段に形成したものとなっている。切り込み部の上下方向の間隔は、図４に示すように、フェンス１２０の横ワイヤ１２２の上下方向の間隔に略一致している。このアタッチメント部１３２は、図５に示すように、その複数の切り込み部にフェンス１２０における複数の横ワイヤ１２２をそれぞれ引っ掛けることができるようになっており、網状のフェンス１２０を複数箇所で安定して支持することのできるものとなっている。
【００３４】
第一実施態様のフェンス付コンベア１００は、コンベア用フェンス取付具１３０におけるフェンス支持部１３２にフェンス１２０を引っ掛けるという簡単な操作のみで、コンベア１１０にフェンス１２０を取り付けることができるものとなっている。しかも、フェンス支持部１３２でフェンス１２０の複数箇所を支持することができるので、フェンス１２０が振れたり、がたついたりしないようになっている。コンベア用フェンス取付具１３０からフェンス１２０を取り外す操作も容易である。また、第一実施態様のフェンス付コンベア１００は、コンベア用フェンス取付具１３０を、コンベアフレーム１１１を全長に亘る任意の箇所に固定できるようになっているため、フェンス１２０の前後方向の幅が異なるような場合であっても、対応することが可能である。
【００３５】
５．第一実施態様のコンベア用フェンス取付具の他の例
図７は、第一実施態様のコンベア用フェンス取付具１３０の他の例にフェンス１２０を取り付けた状態を示した正面図である。このコンベア用フェンス取付具１３０は、上述した第一実施態様のコンベア用フェンス取付具１３０（図６を参照）には設けられていた螺合体１３５を有さない形態のものとなっている。コンベアフレーム１１１における一対の外壁の内面は、図７に示すように、テーパー状に形成されており、溝の入口の方が底部よりも広くなっているため、螺合体１３５を有さなくても、板状の連結部１３１Ｃの側縁を鉤状に折り返すことにより、コンベアフレーム１１１の外壁を上下方向に挟持させることが可能である。このコンベア用フェンス取付具１３０は、上述した第一実施態様のコンベア用フェンス取付具１３０に比較して、部品点数が少なく、製造コストが安く、その取り扱いも容易であるという利点を有している。この他の例によるコンベア用フェンス取付具１３０におけるその他の詳細な構成は、上述した第一実施態様のコンベア用フェンス取付具１３０と略同様であるために説明を割愛する。
【００３６】
６．第二実施態様のコンベア用フェンス取付具
図８は、第二実施態様のフェンス付コンベアを示した正面図である。図９は、第二実施態様のコンベア用フェンス取付具１３０にフェンス１２０を取り付けた状態を示した正面図である。第一実施態様のコンベア用フェンス取付具１３０（図６を参照）は、溝が外側を向くように配されたコンベアフレーム１１１に対して取り付けるものとなっていたが、第二実施態様のコンベア用フェンス取付具１３０は、図８と図９に示すように、溝が内側を向くように配されたコンベアフレーム１１１に対して取り付けるものとなっている。すなわち、第二実施態様のコンベア用フェンス取付具１３０は、内側挟持部１３１Ａと外側挟持部１３１Ｂとの位置関係が、第一実施態様のコンベア用フェンス取付具１３０と比べて逆になっている。第二実施態様のコンベア用フェンス取付具１３０におけるその他の詳細な構成は、第一実施態様のコンベア用フェンス取付具１３０と略同様であるために説明を割愛する。このように、本発明のコンベア用フェンス取付具１３０は、コンベアフレーム１１１の形態に応じて様々なバリエーションが考えられる。
【符号の説明】
【００３７】
１００    フェンス付コンベア
１１０    コンベア
１１１    コンベアフレーム
１１２    搬送ベルト
１１３    ローラ
１１４    支柱
１２０    フェンス
１２１    縦ワイヤ
１２２    横ワイヤ
１３０    コンベア用フェンス取付具
１３１    挟持部
１３１Ａ  内側挟持部
１３１Ｂ  外側挟持部
１３１Ｃ  連結部
１３２    フェンス支持部
１３２Ａ  基部
１３２Ｂ  アタッチメント部
１３２Ｃ  固定手段
１３３    楔孔
１３４    螺子孔
１３５    螺合体
２００    物品
【図１】
2011016627.tif 000003
【図２】
2011016627.tif 000004
【図３】
2011016627.tif 000005
【図４】
2011016627.tif 000006
【図５】
2011016627.tif 000007
【図６】
2011016627.tif 000008
【図７】
2011016627.tif 000009
【図８】
2011016627.tif 000010
【図９】
2011016627.tif 000011